(57)【要約】      （修正有）【課題】前身頃の襟口からウエスト部に相当する位置にかけて開閉自在に設けたファスナーの開放側裏面に止着具を取付け、胸（バスト）の張力や、水泳等の運動を通じてファスナーが自然に下がってしまうことを防止した水着を提供する。【解決手段】水着全体を伸縮性を有する生地で構成し、かつ、前身頃２の襟口５からウエスト部に相当する位置にかけて開閉自在とするファスナー６を逢着してなる水着１であって、一方のファスナー開放部近傍の裏地面と、他方のファスナー開放部近傍の裏地部を突出させた突出布８の表面とに係合手段７を設け、前記係合手段で止着すると共に前記ファスナーのスライダーを引き上げて開放部分を二重に閉塞したことを特徴とする水着である。【選択図】図１
0003127616.tif 000002
【実用新案登録請求の範囲】
【請求項１】
水着全体を伸縮性を有する生地で構成し、かつ、前身頃の襟口からウエスト部に相当する位置にかけて開閉自在とするファスナーを逢着してなる水着であって、一方のファスナー開放部近傍の裏地面と、他方のファスナー開放部近傍の裏地部を突出させた突出布の表面とに係合手段を設け、前記係合手段で止着すると共に前記ファスナーのスライダーを引き上げて開放部分を二重に閉塞したことを特徴とする水着。
【請求項２】
前記係合手段が、ホック又は面ファスナーであることを特徴とする請求項１記載の水着。
【請求項３】
前記水着が、ワンピース型水着やレオタード型水着あるいはセパレート型水着であることを特徴とする請求項１または２記載の水着。
【考案の詳細な説明】
【技術分野】
【０００１】
本考案は、着脱容易な水着に関するものであり、特に前身頃の襟口からアンダーバスト部に相当する位置にかけて開閉自在にするファスナーを設けた水着の改良に関する。
【背景技術】
【０００２】
従来のワンピース型またはレオタード型の水着１０は、着衣するときや脱ぐときに、その操作が行い易いように図３及び図４に示すように前身頃１１の中心に沿って襟元１２からウエスト１３当たりまでファスナー１４が縫い込まれている。そして、水着を着衣するときや脱ぐときにはファスナー１４のスライダーを引き下げて前身頃を大きく開放して行っていた。
【０００３】
【特許文献１】特開２０００−２１２８０５号公報
【考案の開示】
【考案が解決しようとする課題】
【０００４】
しかしながら、上記の開閉部１４はファスナーにより構成されているため、胸（バスト）の張力や、水泳等の運動を通じて、ファスナーが自然に下がってしまうという課題があった。特に、女性は自らのサイズよりワンサイズ小さい水着を購入する傾向にあり、胸の膨らみ、即ちバストの膨らみによって、水着の胸部に過大な張力が生じてファスナーが下がってしまうという問題があった。
【０００５】
本考案は前記した問題点を解決せんとするもので、その目的とするところは、前身頃の襟口からウエスト部に相当する位置にかけて開閉自在に設けたファスナーの開放側裏面に止着具を取付け、胸（バスト）の張力や、水泳等の運動を通じてファスナーが自然に下がってしまうことを防止した水着を提供せんとするにある。
【課題を解決するための手段】
【０００６】
本考案の水着は前記した目的を達成せんとするもので、請求項１の手段は、水着全体を伸縮性を有する生地で構成し、かつ、前身頃の襟口からウエスト部に相当する位置にかけて開閉自在とするファスナーを逢着してなる水着であって、一方のファスナー開放部近傍の裏地面と、他方のファスナー開放部近傍の裏地部を突出させた突出布の表面とに係合手段を設け、前記係合手段で止着すると共に前記ファスナーのスライダーを引き上げて開放部分を二重に閉塞したことを特徴とする。
【０００７】
請求項２の手段は、前記した請求項１において、前記係合手段が、ホックまたは面ファスナーとしたことを特徴とし、また、請求項３の手段は、前記した請求項１および２において、前記水着が、ワンピース型水着やレオタード型水着あるいはセパレート型水着であることを特徴とする。
【考案の効果】
【０００８】
本考案によれば、前身頃の襟口からウエスト部に相当する位置にかけて開閉自在に構成するファスナーと、一方のファスナー開放部近傍の裏地面と、他方のファスナー開放部近傍の裏地部を突出させた突出布の表面とに係合手段を設けたことにより、胸（バスト）の張力や、水泳等の運動を通じた外力がファスナーに直接に加わることがなく、自然なファスナー下がりを防止することができ、水泳中にファスナーが下がってしまうという不測の事態が生ずることがなく、安心して着用することができる。
【０００９】
また、係合手段として、ホックまたは面ファスナーとしたことにより、コストの低減を図ることができ、さらに、ワンピース型水着やレオタード型水着あるいはセパレート型水着等のファスナーを止着具とする各種の水着に応用することができる等の効果を有するものである。
【考案を実施するための最良の形態】
【００１０】
ファスナーによって前身頃を閉めるようにした水着であって、ファスナーの開放部裏面側に係合手段を取付け、前身頃をファスナーと係合手段によって閉じるようにした。
【実施例１】
【００１１】
以下、本考案に係る水着の一実施例を図面と共に説明する。
本考案の要旨は、ワンピース型水着、セパレート型水着或いはユニタード型水着等の水着１を伸縮性の生地で構成すると共に、前身頃に、襟口５からウエスト部２に相当する位置にかけて開閉自在とするファスナー６を設け、かつ、一方のファスナー開放部近傍６ａの裏地面と、他方のファスナー開放部近傍６ｂの裏地を突出させた突出布８とに係合手段７を設け、前記係合手段７が前記ファスナー６と共に水着の開放部分を閉塞させることを特徴としている。
【００１２】
さらに、図１，２と共に詳細に説明するに、水着は、トップとパンツで上下に分離されたセパレート型水着のトップ１を示したものである。なお、パンツは図示を省略している。
トップ１の前身頃２および後身頃３は、後述するように、伸縮性でかつ身体にフィット感のある生地を用いて構成されており、水着の肩紐部４は、比較的広幅に構成されている。さらに襟口５は設計の自由度は担保され、浅くカットされている。
【００１３】
また、トップ１の前身頃２にはファスナー６が縫い込まれ、襟口５から裾までが開閉自在に構成されている。そして、閉塞時における一方のファスナー開放部近傍６ａの裏地面と、他方のファスナー開放部近傍６ｂの裏地を突出させた突出布８の表面に係合手段７が取付けられ、前記ファスナー６と共に水着の開放部分を閉塞することができるようになっている。なお、係合手段７は、裏地面に雄型ホック７ａを設け、突出布８の表面に雌型ホック７ｂを設けることにより形成されている。
【００１４】
なお、トップ１の好適な生地として、ダイビング用の素材をシート状に圧縮した３層以上多層の生地を挙げることができる。このような生地は、丈夫で保温性に優れており、厚手のわりにしなやかな着心地で着用時に心地よいタイト感がある。３層構造の場合、表生地にはポリエステル繊維糸とポリウレタン繊維等の弾性糸からなる生地を用い、中地にポリウレタンフィルム等の弾性体シート、裏生地にポリエステル繊維またはポリアミド繊維とポリウレタン繊維等の弾性糸からなる生地を用いることができる。肌に触れる裏生地には、トリコットカノコのような凹凸感のあるメッシュ素材を用いることで、さらっと軟らかな肌触りを与え、水切れをよくすることができる。トップ１は、このような生地で構成できるが、その他通常の水着のように必要な裏地やパット等を配することができる。
【００１５】
上記トップ１を着用した場合には、前記開閉部であるファスナー６の閉塞と共に、雄型ホック７ａを雌型ホック７ｂに係合することにより、ファスナー６と共に水着の開放部分を閉塞することができることになる。このため、胸（バスト）の張力や、水泳等の運動を通じた外力がファスナーに直接に加わることがなく、自然なファスナー下がりを防止することができる。
【実施例２】
【００１６】
図２は、本考案に係る水着の他の一実施態様を示す正面図であり、ここでは係合手段７として雄型、雌型ホック７ａ，７ｂを用いるのではなく、面ファスナーを用いている点に特徴がある。このように面ファスナーを用いることにより、雄型、雌型ホック７ａ，７ｂを用いるよりも薄型化が可能となり、水着ラインを美しく見せることができると共に、着脱時の使い勝手も向上する。
【００１７】
上記実施形態においては、セパレート型水着を用いて本考案の説明をしたが、何らこれに限定されず、ワンピース型水着やユニタード型水着等に適用できることは言うまでもない。
【図面の簡単な説明】
【００１８】
【図１】本考案に係る水着の正面図を示したものである。
【図２】本考案に係る他の実施形態における正面図を示したものである。
【図３】従来の開閉部を有する水着の正面図である。
【図４】従来の開閉部を有する水着の開放状態を示す正面図である。
【符号の説明】
【００１９】
１    水着（トップ）
２    前身頃
３    後身頃
４    肩紐部
５    襟口
６    ファスナー
７    係合手段
８    突出布
【図１】
0003127616.tif 000003
【図２】
0003127616.tif 000004
【図３】
0003127616.tif 000005
【図４】
0003127616.tif 000006